(57)【要約】      （修正有）【課題】従来の顔料容器の蓋は、回転式で開けたり締めたりするため、片手で操作することは困難であり、顔料を補充するために、顔料容器の蓋を取り外す前に、画筆を置く必要があることが頻繁にある。従来の使い勝手が悪いという問題を解決する折り畳み式顔料ボトルを提供する。【解決手段】折り畳み式顔料ボトル１００は、ボトル本体１１０とボトルキャップ１２０を含む。ボトル本体は、開口部を有する。ボトルキャップは、互いに接続する本体とキャップ体を有する。本体は、ボトル本体に固定して開口部を覆うのに適しており、本体は、開口部と連通する顔料出口を有する。キャップ体の縁は接続部１２２０及び鍔部１２２１まで延在し、接続部は本体に接続する。【選択図】図１
0003233810.tif 000002
【実用新案登録請求の範囲】
【請求項１】
開口部を有するボトル本体と、
互いに接続する本体とキャップ体とを有し、
前記本体は、前記ボトル本体に固定し、前記開口部を覆うのに適しており、前記本体は、前記開口部と連通する顔料出口を有し、
前記キャップ体は、前記顔料出口を覆うのに適しており、
前記キャップ体の縁から外向きに接続部及び鍔部が延在して形成され、
前記接続部は、前記本体に接続することを特徴とするボトルキャップを含む、折り畳み式顔料ボトル。
【請求項２】
前記キャップ体は、前記縁から内向きに延在する環状底面を更に有し、
前記環状底面は、前記鍔部に近い側面に第一係合構造を有し、
前記顔料出口は、前記本体の頂部に配設され、
前記頂部は係合リングを更に有し、前記顔料出口を囲み、
前記係合リングは、前記第一係合構造に対応する第二係合構造を有し、
前記第一係合構造と前記第二係合構造とは、前記キャップ体が前記本体に閉じられた後に、互いに固定し合うのに適していることを特徴とする請求項１に記載の折り畳み式顔料ボトル。
【請求項３】
前記係合リングは、第一末端と第二末端とを更に有し、
前記第一末端は、第三係合構造を有し、
第二末端は、第四係合構造を有し、
前記キャップ体は、前記環状底面に接続する内面を更に有し、
前記第三係合構造と前記第四係合構造とは、前記キャップ体が前記本体に閉じられた後に、内面に係合するのに適していることを特徴とする請求項２に記載の折り畳み式顔料ボトル。
【請求項４】
ボトルキャップの本体は、頂部と側壁とを有し、
前記頂部は前記開口部を覆い、前記顔料出口を有し、
側壁は頂部に接続し、ボトル本体を囲み、側壁の外側は、鍔部に隣接する溝を有することを特徴とする請求項１に記載の折り畳み式顔料ボトル。
【請求項５】
前記キャップ体は、プラグを有し、
前記キャップ体が前記顔料出口を覆うとき、前記プラグは顔料出口に挿入されることを特徴とする請求項１に記載の折り畳み式顔料ボトル。
【請求項６】
前記接続部は、複数のネックストラップを含み、
前記ネックストラップは、それぞれ前記キャップ体の縁から延在することで、前記本体に接続することを特徴とする請求項１に記載の折り畳み式顔料ボトル。
【請求項７】
前記ボトル本体は、可撓性ボトル本体であることを特徴とする請求項１に記載の折り畳み式顔料ボトル。
【請求項８】
前記ボトル本体は、外面を有し、
前記外面は、内向きに凹む表示区を有することを特徴とする請求項１に記載の折り畳み式顔料ボトル。
【請求項９】
前記折り畳み式顔料ボトルは、前記ボトル本体内に位置する水彩顔料を更に含むことを特徴とする請求項１に記載の折り畳み式顔料ボトル。
【請求項１０】
前記本体の外面は、複数の滑り止め構造を有することを特徴とする請求項１に記載の折り畳み式顔料ボトル。
【考案の詳細な説明】
【技術分野】
【０００１】
本考案は、顔料容器、特に、折り畳み式顔料ボトルに関するものである。
【背景技術】
【０００２】
絵画によく用いられる彩色顔料には、水彩顔料、油絵の顔料、広告用顔料、アクリル顔料などが含まれる。一般的に、それぞれの種類又は色彩の顔料は、それぞれ異なる容器に詰められており、塗料の凝固を防ぐために前記容器は蓋で閉じられている。
【０００３】
しかしながら、ほとんどの従来の顔料容器の蓋は、回転式で開けたり締めたりするため、片手で操作することは困難である。ユーザーが絵を描くときに特定の色彩の顔料を補充する必要がある場合、顔料を補充するために、顔料容器の蓋を取り外す前に、画筆を置く必要があることが頻繁にある。そのことから、従来の塗料容器には使い勝手が悪いという問題がある。
【考案の概要】
【０００４】
本考案は、折り畳み式顔料ボトルを提供する。前記折り畳み式顔料ボトルは、取り外し、取り付けが簡単であるという利点を有する。
【０００５】
本考案が提供する折り畳み式顔料ボトルは、ボトル本体とボトルキャップとを含む。ボトル本体は、開口部を有する。ボトルキャップは、互いに接続する本体とキャップ体とを有する。本体は、ボトル本体に固定して開口部を覆うのに適しており、本体は、開口部と連通する顔料出口を有する。キャップ体の縁から外向きに接続部及び鍔部が延在して形成され、接続部は本体に接続する。
【０００６】
本考案の実施例において、上述のキャップ体は、縁から内向きに延在する環状底面を更に有することがある。環状底面は、鍔部に近い側面に第一係合構造を有する。顔料出口は、本体の頂部に配設されている。頂部は、係合リングを更に有し、係合リングは、顔料出口を囲む。係合リングは、第一係合構造に対応する第二係合構造とを更に有する。第一係合構造と第二係合構造は、キャップ体が本体に閉じられた後に、互いに固定し合うのに適している。
【０００７】
本考案の実施例において、上述の係合リングは、第一末端と第二末端とを更に有することがあり、第一末端は、第三係合構造を有し、第二末端は、第四係合構造を有する。キャップ体は、環状底面に接続する内面を更に有することがあり、第三係合構造と第四係合構造とは、キャップ体が本体に閉じられた後に、内面に係合するのに適している。
【０００８】
本考案の実施例において、上述のボトルキャップの本体は、頂部と側壁とを有することがある。頂部は、開口部を覆い、顔料出口を有する。側壁は、頂部に接続し、ボトル本体を囲み、側壁の外側は、鍔部に隣接する溝を有する。
【０００９】
本考案の実施例において、上述のキャップ体は、プラグを有することがある。キャップ体が顔料出口を覆うとき、プラグは顔料出口に挿入される。
【００１０】
本考案の実施例において、上述の接続部は、複数のネックストラップを含むことがある。ネックストラップは、それぞれキャップ体の縁から延在することで、本体に接続する。
【００１１】
本考案の実施例において、上述のボトル本体は、可撓性ボトル本体であることがある。
【００１２】
本考案の実施例において、上述のボトル本体は、外面を有することがある。外面は、内側に凹んだ表示区を有する。
【００１３】
本考案の実施例において、上述の折り畳み式顔料ボトルは、ボトル本体内に位置する水彩顔料を更に含むことがある。
【００１４】
本考案の実施例において、上述の本体の外面は、複数の滑り止め構造を有することがある。
【００１５】
本考案の折り畳み式顔料ボトルにおいて、ボトルキャップは、鍔部と接続部のキャップ体とを有することを採用し、接続部は本体に接続され、鍔部はキャップ体の縁から突出する。したがって、１本の指で鍔部を押すことによって、顔料出口を露出するために、本体からキャップ体を外すことができる。同様に、鍔部を１本の指で押すことによって、キャップ体に取り付けることができる。上述に基づくと、本考案の折り畳み式顔料ボトルは、取り付け、取り外しが容易であるという利点を有する。
【００１６】
本考案の上記及びその他の目的、特徴、及び利点をより分かりやすくするため、下記において実施例を挙げ、添付の図面と合わせ、下記のように詳しく説明する。
【図面の簡単な説明】
【００１７】
【図１】図１は、本考案の実施例による折り畳み式顔料ボトルの立体模式図を示す。
【図２】図２は、図１のボトル本体とボトルキャップとが互いに分離した側面図を示す。
【図３】図３は、図１の折り畳み式顔料ボトルの折り畳み模式図を示す。
【図４】図４は、図１の折り畳み式顔料ボトルの接続部の立体模式図を示す。
【００１８】
図１は、本考案の実施例による折り畳み式顔料ボトルの立体模式図を示す。図２は、図１のボトル本体とボトルキャップとが互いに分離した側面図を示す。図３は、図１の折り畳み式顔料ボトルの折り畳み模式図を示す。図１、図２及び図３を参照されたい。折り畳み式顔料ボトル１００は、ボトル本体１１０及びボトルキャップ１２０を含む。ボトル本体１１０は、開口部Ｏ１（図２に示す）を有する。ボトルキャップ１２０は、互いに接続する本体１２１とキャップ体１２２とを有する。本体１２１は、ボトル本体１１０に固定し、開口部Ｏ１を覆うのに適しており、本体１２１は、開口部Ｏ１に連通する顔料出口Ｏ２（図３に示す）を有する。キャップ体１２２は、顔料出口Ｏ２を覆うのに適しており、キャップ体１２２の縁Ｅから接続部１２２０及び鍔部１２２１に延在して形成され、接続部１２２０は、本体１２１に接続する。
【００１９】
ボトル本体１１０は、ボトルネックＢＮ（図３に示す）を有することがあり、ボトルキャップ１２０の本体１２１は、ねじ込むことで、ボトル本体１１０のボトルネックＢＮに固定することができるが、これに限られない。本実施例のボトル本体１１０は可撓性ボトル本体１１０であることがあるが、この様にすることで、押出することによってボトル本体１１０内の顔料を排出することができる。詳細に説明すると、上述の顔料は、例えば、水彩顔料１３０であるが、これに限らない。一方で、本実施例のボトル本体１１０は外面１１１を有することがある。外面１１１は、特定の情報をマークする又は書き込むために、内側に凹んだ表示区Ｚを有する。
【００２０】
併せて、図２および図３を参照されたい。ボトルキャップ１２０の本体１２１は、頂部１２１０及び側壁１２１１を有することがある。側壁１２１１は頂部１２１０に接続し（図３に示される）、ボトル本体１１０を囲み、本実施例の側壁１２１１は、例えば、ボトル本体１１０を囲むボトルネックＢＮであるが、これに限らない。また、頂部１２１０は開口部Ｏ１を覆い、前述の顔料出口Ｏ２を有する。本実施例において、キャップ体１２２は、プラグ１２２２を有することがある（図３に示される）。キャップ体１２２が顔料出口Ｏ２を覆うとき、プラグ１２２２が顔料出口Ｏ２に挿入される。詳細に説明すると、プラグ１２２２の形状は、顔料出口Ｏ２の形状と互いに相補し合うことができることから、プラグ１２２２が顔料出口Ｏ２に挿入された後、プラグ１２２２は、顔料出口Ｏ２と密接に結合することができる。以上から、液体である水彩顔料１３０の一部が出口Ｏ２から溢れることを防ぐことができる。なお、側壁１２１１の外面Ｓ（図３にマークされている）は、鍔部１２２１に隣接する溝１２１１aを有しており、この様に、鍔部１２２１を容易に持ち上げることで、キャップ体１２２をより容易に本体１２１から外すことができる。
【００２１】
従来技術と比較して、本実施例の折り畳み式顔料ボトル１００において、ボトルキャップ１２０は、鍔部１２２１と接続部１２２０のキャップ体１２２とを有することを採用し、接続部１２２０は本体１２１に接続され、鍔部１２２１は、キャップ体１２２の縁Ｅから突出する。したがって、１本の指で鍔部１２２１を押して、顔料出口Ｏ２を露出するために、キャップ体１２２を本体１２１から外すことができる。同様に、鍔部１２２１を１本の指で押すことで、キャップ体１２２を本体１２１に取り付けることができる。上述に基づいて、本考案の折り畳み式顔料ボトル１００は、取り外し、取り付けが容易であるという利点を有する。
【００２２】
引き続き図３を参照されたい。キャップ体１２２は、縁Ｅから内側に延在する環状底面ＲＳを更に有することがある。環状底面ＲＳは、鍔部１２２１に近い側面に第一係合構造Ｂ１を有する。顔料出口Ｏ２は、本体１２１の頂部１２１０に配設されている。頂部１２１０は、係合リングＲを更に有することがあり、係合リングＲは、第一係合構造Ｂ１に対応する第二係合構造Ｂ２を有する。第一係合構造Ｂ１と第二係合構造Ｂ２とは、キャップ体１２２が本体１２１から閉じられた後、互いに固定するのに適している。詳細に説明すると、第一係合構造Ｂ１は、例えば、鍔部１２２１に隣接する位置にあり、鍔部１２２１からプラグ１２２２の方向に向かって突出する。一方で、第二係合構造Ｂ２は、例えば、溝１２１１ａに近い係合リングＲの側面に配置され、顔料出口Ｏ２から離れた方向に突出してもよい。この様に、キャップ体１２２が本体から閉じられた後、キャップ体１２２と本体１２１とを強固に固定することができ、同時にキャップ体１２２を外すのに必要とする気密性を維持するで、折り畳み式顔料ボトル１００をより容易に取り外すことができる。以上から、図３が示す第一係合構造Ｂ１と第二係合構造Ｂ２は例示に過ぎないが、本考案を制限するものではないことが理解できる。
【００２３】
更に、係合リングＲは、第一末端Ｅ１と第二末端Ｅ２とを更に有することができ、第一末端Ｅ１は第三係合構造Ｂ３を有し、第二末端Ｅ２は第四係合構造Ｂ４を有する。キャップ体１２２は、環状底面ＲＳに接続する内面ＩＷを更に有することができ、第三係合構造Ｂ３と第四係合構造Ｂ４は、キャップ体１２２が本体１２１から閉じられた後、内面ＩＷに係合するのに適している。具体的には、第三係合構造Ｂ３と第四係合構造Ｂ４は、顔料出口Ｏ２の２つの対向する側に配置されることがあり、係合リングＲの外縁から突出することがある。この様に、キャップ体１２２が本体１２１から閉じられた後、係合リングＲの顔料出口Ｏ２に近い部分とキャップ体１２２とを強固に固定することができることで、更にキャップ体１２２が本体１２１を覆う強固度を高めることができる。同様に、第三係合構造Ｂ３及び第四係合構造Ｂ４もキャップ体１２２を外すのに必要とする気密性を維持することができ、折り畳み式顔料ボトル１００をより容易に取り外すことができる。なお、図３が示す第三係合構造Ｂ３と第四係合構造Ｂ４は例示に過ぎず、本考案を制限するものではない。
【００２４】
図４は、図１の折り畳み式顔料ボトルの接続部の立体模式図を示す。図２と図４を参照されたい。接続部１２２０は、複数のネックバンドを含むことがあり、本実施例では、３つのネックバンドＮ１、Ｎ２及びＮ３を例とするが、これに限られない。ネックストラップＮ１、Ｎ２及びＮ３は、それぞれにキャップ体１２２の縁Ｅから延在することで、本体１２１に接続する。詳細に説明すると、ネックストラップＮ１及びＮ３は、例えば、キャップ体１２２の縁Ｅに配置されている。ネックストラップＮ２は、Ｎ１とＮ３との間に位置し、ネックストラップＮ２の相対する両端はキャップ体１２２の頂部Ｔから至縁Ｅまで延在することがある。
【００２５】
引き続き図２を参照し、図３も参照されたい。本体１２１の外面Ｓは、複数の滑り止め構造１２１１ｂを有することがあり、それにより、ボトルキャップ１２０の本体１２１の保持をより容易にし、ボトル本体１１０上からロック及び取り外しをすることができる。本実施例の滑り止め構造１２１１ｂの形状をストリップ状とすることができ、外面Ｓの相対する両端に位置するが、本考案はこれに限らない。更に詳しく説明すると、その他実施例において、滑り止め構造１２１１ｂの形状、数量、特定の位置等の特徴は、様々なボトルキャップ１２０の取り外し方法によって、異なる場合がある。
【００２６】
以上のことから、本考案の折り畳み式顔料ボトルにおいて、ボトルキャップは、鍔部と接続部のキャップ体を有することを採用し、接続部は本体に接続され、鍔部はキャップ体の縁から突出する。したがって、１本の指で鍔部を押すことによって、顔料出口を露出するために、本体からキャップ体を外すことができる。同様に、鍔部を１本の指で押すことによって、キャップ体に取り付けることができる。上述に基づくと、本考案の折り畳み式顔料ボトルは、取り外し、取り付けが容易であるという利点を有する。
【００２７】
本考案は、上記で詳述された態様を開示しているが、本考案を限定することを意図するものではない。本考案の属する技術の分野における通常の知識を有する者は、本考案の精神と領域を脱しない範囲内で各種の変動や潤色を加えることができる。したがって、本考案の保護範囲は、実用新案登録請求の範囲で指定した内容を基準とする。
【符号の説明】
【００２８】
１００:折り畳み式顔料ボトル
１１０:ボトル本体
１１１、Ｓ:外面
１２０:ボトルキャップ
１２１:本体
１２２:キャップ体
１３０:水彩顔料
１２１０:頂部
１２１１:側壁
１２２０:接続部
１２２１:鍔部
１２２２:プラグ
１２１１a:溝
１２１１b:滑り止め構造
Ｂ１:第一係合構造
Ｂ２:第二係合構造
Ｂ３:第三係合構造
Ｂ４:第四係合構造
ＢＮ:ボトルネック
Ｅ１:第一末端
Ｅ２:第二末端
Ｅ:縁
ＩＷ:内面
Ｌ:最大の長さ
Ｎ１、Ｎ２、Ｎ３:ネックストラップ
Ｏ１:開口部
Ｏ２:顔料出口
Ｒ:係合リング
ＲＳ:環状底面
Ｔ:頂部
Ｚ:表示区
【図１】
0003233810.tif 000003
【図２】
0003233810.tif 000004
【図３】
0003233810.tif 000005
【図４】
0003233810.tif 000006